(57)【特許請求の範囲】
【請求項１】
薬液が充填される円筒状のシリンダと、先端に注射針が装着され前記シリンダの先端側に設けられた筒先と、前記シリンダの後端側に設けられたフィンガーグリップとを備えた容器兼用注射器において、
円筒形状を有し、前記シリンダの先端側から該シリンダの外周に摺動可能に装着され、先端方向に移動した際に前記注射針を覆うセーフティーデバイスを備え、
前記セーフティーデバイスを前記注射針から外れた第一位置と、前記注射針を覆う第二位置とに選択的に係止する保持手段と、
前記セーフティーデバイスを前記第二位置方向に付勢するコイルスプリングと、
前記セーフティーデバイスの先端に形成された係合縁部と係合する係合爪部を備え、該係合爪部が前記係合縁部と係合することによって前記セーフティーデバイスの先端に一体化されるバネ受け部材とが設けられ、
前記セーフティーデバイスが前記シリンダの外周に固定された状態において、前記コイルスプリングが、前記バネ受け部材と前記筒先との間に圧縮状態で装着されており、
前記保持手段は、
前記セーフティーデバイスを前記第一位置に係脱可能に係止する第一保持手段と、
前記セーフティーデバイスを前記第二位置に係止する第二保持手段とからなり、
前記第二保持手段が、
先端方向に向かって内周壁を縮径させるように形成された傾斜面を有する外れ防止ストッパーと、
前記筒先に備えられた係合部とを含み、
前記セーフティーデバイスを前記シリンダの先端側から該シリンダの外周に装着する際に、前記傾斜面が前記係合部に当接し、これにより前記傾斜面が撓んで前記セーフティーデバイスの内周を拡径させながら前記係合部を乗り越え、
前記セーフティーデバイスが前記第一位置から前記第二位置に移動した際に、前記外れ防止ストッパーと前記係合部とが係合して、前記セーフティーデバイスの先端方向への移動が阻止されることを特徴とする容器兼用注射器。
【発明の詳細な説明】
【技術分野】
【０００１】
本発明は、注射終了後等に注射針を覆い安全性を確保するために用いられるセーフティーデバイスを備えた容器兼用注射器に関する。
【背景技術】
【０００２】
容器兼用注射器は、予め薬液が充填されているため、医療機関において煩雑な操作をすることなく、包装から取り出して直ぐに使用できるので、利便性に優れ、医師や看護師等の医療業務に携わる者の作業の軽減に大変に役立ち、このため、多くの病医院で採用されるようになって来ている。
【０００３】
ところで、従来から医療業務に携わるものが注射器を使用した際に、穿刺後の注射針を誤って自らに刺してしまうことがあり、その穿刺を原因としたウイルス感染が懸念されている。そのため、患者に注射した後の注射針を安全に処理することを目的として、注射後の注射針を円筒状のカバーで覆って注射針の不用意な接触を防止するセーフティーデバイスを備えた注射器が考案されている。例えば特許文献１に記載の注射器によれば、シリンダの外周に係止された可撓性のセーフティーデバイスに圧力を加えて撓ませることで係止状態を解除し、該セーフティーデバイスを挟持した状態で注射針を上方に向けることによって、注射器本体が自重により下方に移動して、注射針がセーフティーデバイスによって覆われるように構成されている。
【特許文献１】特開２００１−２９３３４号公報
【発明の開示】
【発明が解決しようとする課題】
【０００４】
しかしながら、上述した従来のセーフティーデバイスを備えた注射器においては、セーフティーデバイスを注射針を覆う位置に移動させる手段は注射器本体の自重のみであるため、セーフティーデバイスを相対移動させる力は弱く、場合によっては、注射針をセーフティーデバイスで覆う途中で注射器本体に引っかかることもあり、注射針を確実に覆うことができず安全性を保てないという問題があった。
【０００５】
この発明はこのような課題に鑑みて、注射器本体に対してセーフティーデバイスを注射針を覆う状態に確実に移動させて、安全性を確保することができる容器兼用注射器を提供することを目的とする。
【課題を解決するための手段】
【０００６】
前記課題を解決するため、この発明は以下の手段を提案している。
即ち、本発明に係る容器兼用注射器は、  薬液が充填される円筒状のシリンダと、先端に注射針が装着され前記シリンダの先端側に設けられた筒先と、前記シリンダの後端側に設けられたフィンガーグリップとを備えた容器兼用注射器において、円筒形状を有し、前記シリンダの先端側から該シリンダの外周に摺動可能に装着され、先端方向に移動した際に前記注射針を覆うセーフティーデバイスを備え、前記セーフティーデバイスを前記注射針から外れた第一位置と、前記注射針を覆う第二位置とに選択的に係止する保持手段と、前記セーフティーデバイスを前記第二位置方向に付勢するコイルスプリングと、前記セーフティーデバイスの先端に形成された係合縁部と係合する係合爪部を備え、該係合爪部が前記係合縁部と係合することによって前記セーフティーデバイスの先端に一体化されるバネ受け部材とが設けられ、前記セーフティーデバイスが前記シリンダの外周に固定された状態において、前記コイルスプリングが、前記バネ受け部材と前記筒先との間に圧縮状態で装着されており、前記保持手段は、前記セーフティーデバイスを前記第一位置に係脱可能に係止する第一保持手段と、前記セーフティーデバイスを前記第二位置に係止する第二保持手段とからなり、前記第二保持手段が、先端方向に向かって内周壁を縮径させるように形成された傾斜面を有する外れ防止ストッパーと、前記筒先に備えられた係合部とを含み、前記セーフティーデバイスを前記シリンダの先端側から該シリンダの外周に装着する際に、前記傾斜面が前記係合部に当接し、これにより前記傾斜面が撓んで前記セーフティーデバイスの内周を拡径させながら前記係合部を乗り越え、前記セーフティーデバイスが前記第一位置から前記第二位置に移動した際に、前記外れ防止ストッパーと前記係合部とが係合して、前記セーフティーデバイスの先端方向への移動が阻止されることを特徴とする。
【０００７】
保持手段によるセーフティーデバイスの第一位置での係止を解除すると、セーフティーデバイスは付勢手段の付勢力によって第二位置方向に移動し、この際、セーフティーデバイスは第二位置において保持手段によって係止される。これにより、セーフティーデバイスを確実に注射針を覆う位置に移動させることが可能となり、該注射針を確実に覆うことが可能となる。
即ち、セーフティーデバイスの先端のバネ受け部材と筒先との間に圧縮された状態で設けられているコイルスプリングが、第一保持手段によるセーフティーデバイスの第一位置での係止が解除されると、筒先に対して注射器本体の先端方向に伸張して、これに伴ってセーフティーデバイスが注射器本体の先端方向に移動する。これによってセーフティーデバイスを注射針を覆う第二位置に確実に移動させることが可能となる。
また、第一保持手段が係脱可能であるため、セーフティーデバイスの第一位置における係止を容易に解除することができるとともに、セーフティーデバイスが第二位置に移動した際には、第二保持手段によって該セーフティーデバイスを確実に係止されるため、セーフティーデバイスが不用意に移動することはなく、安全性を確保することができる。
【００１２】
さらに、本発明に係る容器兼用注射器において、前記保持手段は、前記セーフティーデバイスを前記第一位置に係脱可能に係止する第一保持手段と、前記セーフティーデバイスを前記第二位置に係止する第二保持手段とからなることを特徴としている。
【発明の効果】
【００１４】
本発明の容器兼用注射器によれば、注射器本体に対してセーフティーデバイスを確実に移動させることができるため、注射針を確実に覆うことができ、安全性を確保することが可能となる。
【発明を実施するための最良の形態】
【００１５】
以下本発明に係る容器兼用注射器の実施形態について、図１から図１１を用いて説明する。図１に示すように、本実施形態における容器兼用注射器１は、容器兼用注射器本体２と、セーフティーデバイス本体４及び押圧リング５からなるセーフティーデバイス３と、セーフティーデバイス３の先端に設けられたバネ受け部材６と、コイルスプリング２０とから構成される。また以下では、図１において容器兼用注射器本体２の軸線Ｏ方向に見て、注射針１０が備えられた上側を先端、フィンガーグリップ９が備えられた下側を後端と表すものとする。
【００１６】
図２に示すように、容器兼用注射器本体２は、シリンダ７と、該シリンダ７の先端側の外周に嵌着された筒先８と、シリンダ７の後端側の外周部に嵌着された合成樹脂製のフィンガーグリップ９と、前記筒先８の先端に設けたルアーロック部１２に装着された注射針１０とから構成される。
【００１７】
シリンダ７は例えば透明なガラス製であって、軸線Ｏに沿って伸びる円筒形状を有するとともに、軸線方向の所定の長さにわたって外側に膨出したバイパス路７ａが形成され、シリンダ７の先端側及び後端側、バイパス路７ａの直ぐ後端側の計３つの箇所にストッパー（図示省略）を備え、該シリンダの内部に薬液が封止されている。また、シリンダ７の後端側から挿入されたプランジャロッド（図示省略）の先端部が後端側のストッパーにねじ込まれて連結されている。
【００１８】
筒先８は、例えば透明な合成樹脂材料で構成され、図２に示すように、シリンダ７の内径と等しいか僅かに大きい内径を有しストッパ（図示省略）が入り込むバイパスチャンバー１１ａを設けた円筒部１１と、該円筒部１１の先端に一体に形成され、内孔がバイパスチャンバー１１ａに連通された注射針１０の取付部である円筒状のルアーロック部１２と、円筒部１１の後端にそれより大径として一体に形成された円筒状の係合部１３と備え、該係合部１３の内穴１４をシリンダ７の先端部７ｂの外周に嵌合してシリンダ７に嵌着されている。
【００１９】
また筒先８における係合部１３には、先端側に段部が形成され係合段部１３ａとされており、後端側は係合端部１３ｂとされている。なお、この係合部１３は後述する第二保持手段１８の一部を構成している。そして、ルアーロック部１２から、該ルアーロック部１２よりも大径とされた円筒部に至る先端側を向く段差部は、後述するコイルスプリング２０の一端が当接されるバネ当接部１５とされている。
【００２０】
フィンガーグリップ９は、円筒形状を有する嵌着部９ａの後端部に嵌着部９ａの径方向外側に延びるフランジ９ｂを一体に形成してなり、嵌着部９ａがシリンダ７の後端７ｂの外周部に嵌着されている。また、該フィンガーグリップ９の嵌着部９ａの外周には、径方向外側に突出するようにして係合突起９ｃが形成されている。
【００２１】
以上のような構成の容器兼用注射器本体２には、予め薬液が充填されているため、使用時には包装から取り出して直ぐに使用することができる。また、このような容器兼用注射器本体２の外周には、図１に示すように、セーフティーデバイス本体４と押圧リング５とバネ受け部材６からなるセーフティーデバイス３が装着される。
【００２２】
セーフティーデバイス本体４は、例えばポリプロピレン等の透明で適度な可撓性を有する材質によって強度が維持できる範囲で薄く成形され、図３に示すように容器兼用注射器本体２と同一の軸線Ｏを長手方向とした略円筒状の形状を有している。
【００２３】
図３に示すように、セーフティーデバイス本体４の後端には、該セーフティーデバイス本体４が略Ｌ字状に切り欠かれて形成されたＬ字スリット２４が形成されており、このＬ字スリット２４の幅は上述の係合突起９ｃの幅と略同一とされており、Ｌ字スリット２４と係合突起９ｃとで、セーフティーデバイス３をシリンダ７外周に、即ち、セーフティーデバイス３を注射針１０から外れた位置である第一位置に固定する第一保持手段１７を構成している。また、セーフティーデバイス本体４のＬ字スリット２４よりも先端側には、先端方向に向かって該内周壁４ａを縮径させるように形成された傾斜面２５ａと該傾斜面２５ａの頂点から内周壁に垂直に降ろした面である係合面２５ｂとを有する外れ防止ストッパー２５が、周方向に均等に間隔を空けて例えば計４つ設けられている。さらに、該外れ防止ストッパー２５の周方向であって隣り合う２つの外れ防止ストッパー２５のそれぞれの中間位置には、軸線方向を長手方向としてセーフティーデバイス本体４の内周壁４ａと外周壁４ｂを連通するように開口された計４つのスリット２６が設けられている。
【００２４】
さらに、セーフティーデバイス本体４の外周壁４ｂの外れ防止ストッパー２５及びスリット２６よりも先端側には、後端方向に向かって該外周壁４ｂを拡径させるように傾斜した外周面２７ａと、該外周面２７ａから径方向内側に向かって下ろした面である係合面２７ｂと、外周面２７ａの裏側に位置しセーフティーデバイス本体４の内周壁４ａと面一である内周面２７ｃとを有する戻り防止ストッパー２７が、例えば計２つ設けられている。該戻り防止ストッパー２７は、図４に示されるように、外周面２７ａの後端側と周方向両側の三方向が、内周壁４ａと外周壁４ｂを連通するように切り欠いたコの字スリット２８に囲まれている。該コの字スリット２８によって、戻り防止ストッパー２７は外周面２７ａの先端側においてのみセーフティーデバイス本体４の外周壁４ｂと接続された構造となっており、この接続箇所２９には凹溝２９ａが形成されている。これにより戻り防止ストッパー２７に径方向外側から力が加えられた際には、接続箇所２９の凹溝２９ａを支点として戻り防止ストッパー２７がセーフティーデバイス本体４の内側に向かって板バネ状に撓むような構成となっている。
【００２５】
なお、外れ防止ストッパー２５及び戻り防止ストッパー２７と、上述の係合部１３とで、セーフティーデバイス３を注射針１０を覆う位置で固定する第二保持手段１８を構成している。
【００２６】
また、各戻り防止ストッパー２７のコの字スリット２８の後端側及び接続箇所２９の先端側には、該戻り防止ストッパー２７を軸線方向から挟むようにリング二次停止突起３２ａ、３２ｂが設けられている。先端側に位置するリング二次停止突起３２ｂは後端方向に向かって外周壁４ｂを拡径させるように形成された傾斜を有している。また、先端側のリング停止突起３２ｂのさらに先端方向であって、セーフティーデバイス本体４の外周壁４ｂには、図３に示すように、径方向外側に向かって突出したリング一次停止突起３３が周方向の対向する位置に計二つ設けられている。そして、セーフティーデバイス本体４の先端部は、外周壁４ｂが拡径するように形成された係合縁部３５が形成されている。
【００２７】
押圧リング５は、図５に示すようにセーフティーデバイス本体４よりも軸線Ｏ方向の長さが十分に短い円筒形状を有しており、セーフティーデバイス本体４と同様に、例えばポリプロピレン等の透明で適度な可撓性を有する材質によって強度が維持できる範囲に薄く成形されている。また外周には軸線Ｏ方向に沿って延び径方向外側に向けて突出した滑り防止のための縦リブ５ａが適宜形成されている。なお、押圧リング５の内径は、セーフティーデバイス本体４の外径と略同一か、または僅かに大きなものとなっている。また、該押圧リング５には可撓性を高めるために、軸線Ｏ方向にスリット５ｂが設けられている。
【００２８】
バネ受け部材６は、図６に示すように、中央に上述の注射針１０及びルアーロック部１２を挿通させるための開口部６ａを備えた円盤形状を有し、その外周に位置する縁部が軸線Ｏに沿って後端側に延びるとともに径方向内側に向かって突出して形成された係合爪部６ｂを備えている。また、該係合爪部６ｂよりも径方向内側の位置には、係合爪部６ｂと平行に軸線Ｏに沿って延びるバネ支持部６ｃが形成されおり、該バネ支持部６ｃよりも径方向内側の後端側を臨む面はバネ受け面６ｄとされている。そして、このバネ受け部材６と、筒先８に形成されたバネ当接部１５との間に付勢手段としてのコイルスプリング２０が圧縮状態で装着される。
【００２９】
次に、容器兼用注射器１の組み立て方法及び使用方法について説明する。
まず、図３に示すセーフティーデバイス本体４の先端側から、その外周壁４ｂに押圧リング５を嵌め込み後端方向にスライドさせると、押圧リング５はその可撓性によってリング一次停止突起３３を越えて、押圧リング５の後端がリング二次停止突起３２ｂの傾斜面に接触して停止する。この状態において、押圧リング５は、図７に示すように、後端側がリング二次停止突起３２ｂの傾斜に当接され、先端側がリング一次停止突起３３に当接されることによって、多少の力では移動されない程度に固定され、セーフティーデバイス３が構成される。
【００３０】
このセーフティーデバイス３は、図８に示すように、薬液の充填が済んで注射針１０にプロテクター３６が装着された状態の容器兼用注射器本体２に装着される。具体的には、セーフティーデバイス３の後端を容器兼用注射器本体２のプロテクター３６の先端側から容器兼用注射器本体２の後端方向に向かってスライドさせると、外れ防止ストッパー２５の傾斜面２５ａが係合部１３の係合段部１３ａに当接する。この際、傾斜面２５ａが係合部１３によって撓んでセーフティーデバイス３の内周を拡径させながら係合部１３を乗り越える。なお、外れ防止ストッパー２５の周辺にはスリット２６が設けられており可撓性が高められているため、外れ防止ストッパー２５は容易に係合部１３を乗り越えることができる。
【００３１】
この状態においては、セーフティーデバイス本体４の内周壁４ａには他の突起はないため、セーフティーデバイス３の後端がフィンガーグリップ９の嵌着部９ａに嵌まりこみ、さらに該嵌着部９ａに設けられた係合突起９ｃがセーフティーデバイス３のＬ字スリット２４の後端から先端側に向かって延びる直線部の突き当たりに達するまでセーフティーデバイス３は容易にスライドされる。そして、セーフティーデバイス３又は容器兼用注射器本体２のいずれかを周方向に回転させることによって係合突起９ｃとＬ字スリット２４が係合し、セーフティーデバイス３が容器兼用注射器本体２のシリンダ７外周に、即ち、セーフティーデバイス３が注射針１０から外れた位置である第一位置に係止される。
【００３２】
続いて、押圧リング５に後端方向に向けて押し込むように力をかけると、押圧リング５はリング二次停止突起３２ｂの傾斜を越えてセーフティーデバイス本体４の外周上を後端方向へ移動し、戻り防止ストッパー２７の外周面２７ａに当接しながらさらに後端方向へ移動し、リング二次停止突起３２ａに接触することによってその移動が停止される。このとき、押圧リング５の内周壁によって戻り防止ストッパー２７の外周面２７ａが径方向内側に向かって押圧され、接続箇所２９の凹溝２９ａを支点として、戻り防止ストッパー２７がセーフティーデバイス本体４の内側に向かって板バネ状に撓む。これによって、図９に示すように、戻り防止ストッパー２７の内周面２７ｃが、後端方向に向かって内周壁４ａを縮径させるように傾斜し、セーフティーデバイス本体４の内周壁４ａから突出する。
【００３３】
そして、この状態において、図１０（ａ）に示すように、コイルスプリング２０を挿入すると、注射針１０及びルアーロック部１２を軸線Ｏ方向に覆うようにして、その後端が筒先８のバネ当接部１５に当接される。続いて、バネ受け部材６が、コイルスプリング２０の先端をバネ受け面６ｄに当接させ、かつ先端外周部２０ａをバネ支持部６ｃによって側方から支持しながら、先端から後端側に向けてコイルスプリング２０を収縮させるように押し込まれる。そして、コイルスプリング２０が限界まで収縮されるとともに、バネ受け部材６の係合爪部６ｂが、セーフティーデバイス本体４の先端に形成された係合縁部３５と係合して、バネ受け部材６とセーフティーデバイス３とが、一体化され、図１０（ｂ）の状態になる。
【００３４】
なおこの際、筒先８のバネ当接部１５とバネ受け部材６との間に圧縮状態で装着されたコイルスプリング２０によって、セーフティーデバイス３は容器兼用注射器本体２の先端方向に付勢されているが、この状態においては上述の第一保持手段１７によって、セーフティーデバイス３は上述の第一位置に係止されているため、セーフティーデバイス３が不用意に移動することはない。
【００３５】
以上のように構成された容器兼用注射器１によって患者に対して薬液の投与がなされる。使用後の容器兼用注射器１はプロテクター３６を装着することはなくそのままの状態で、第一保持手段１７によるセーフティーデバイス３の第一位置での係止を解除すべく、容器兼用注射器本体２又はセーフティーデバイス３を所定の方向へ回転される。すると、セーフティーデバイスのＬ字スリット２４とフィンガーグリップ９の係合突起９ｃとの係合が解かれて、セーフティーデバイス３が、コイルスプリング２０の付勢力によって容器兼用注射器本体２の先端方向へ移動する。このとき、戻り防止ストッパー２７の内周面２７ｃが係合部１３の係合端部１３ｂに当接するが、セーフティーデバイス３自体が可撓性の材質で構成されているため、係合部１３によって内周面２７ｃが撓んで、内周を拡径させることで戻り防止ストッパー２７の内周面２７ｃが係合部１３を乗り越える。
【００３６】
その後、図１に示すように、注射針１０の周囲がセーフティーデバイス３によって完全に覆われる位置である第二位置に移動すると、詳しくは図１１に示すように、外れ防止ストッパー２５の係合面２５ｂと係合部１３の係合端部１３ｂとが係合しセーフティーデバイス３のそれ以上の先端方向への移動が阻止される。さらにこの状態でセーフティーデバイス３を後端方向へ移動させようとしても、戻り防止ストッパー２７の係合面２７ｂと係合部１３の係合段部１３ａとが係合するためその移動は阻止される。すなわち、一旦セーフティーデバイス３によって注射針１０が覆われれば、係合部１３が外れ防止ストッパー２５及び戻り防止ストッパー２７によって両側から固定されて、セーフティーデバイス３が係合部１３と外れ防止ストッパー２５及び戻り防止ストッパー２７とからなる第二保持手段１８によって第二位置に係止されるため、セーフティーデバイス３が前端方向に進み過ぎて容器兼用注射器本体２から外れたり、後端方向に移動して注射針１０が露出したりすることはない。
【００３７】
以上のように、第一の実施形態に係る容器兼用注射器１によれば、第一保持手段１７によるセーフティーデバイス３の注射針１０から外れた位置である第一位置における係止が解除された際に、コイルスプリング２０が筒先８のバネ当接部１５に対して容器兼用注射器本体２の先端方向に伸張し、これに伴って、コイルスプリング２０がバネ受け部材６とともにセーフティーデバイス３を容器兼用注射器本体２の先端方向に移動させ、該セーフティーデバイス３が注射針１０を覆う第二位置においてセーフティーデバイス３が第二保持手段１８により固定される。従って、セーフティーデバイス３を注射針を覆う位置に確実に移動させることができ、注射終了後の注射針１０を確実にカバーして安全性を確保することが可能となる。
【００３８】
以上、本発明である容器兼用注射器１の実施形態について詳細に説明したが、本発明の技術的思想を逸脱しない限り、これらに限定されることはなく、多少の設計変更等も可能である。例えば変形例として、図１２に示すように、コイルスプリング２０がセーフティーデバイス３と、フィンガーグリップ９との間に圧縮状態で装着されたものであってもよい。
【００３９】
この変形例における容器兼用注射器４０においては、セーフティーデバイス３の後端が一段拡径することによってその内壁面に形成された後端側を望む段差部がバネ受け部４１とされており、フィンガーグリップ９の嵌着部９ａの先端側が一段縮径してその段差部にバネ当接部４２が形成されている。容器兼用注射器本体２にセーフティーデバイス３を装着する際に、セーフティーデバイス３のバネ受け部４１とフィンガーグリップのバネ当接部４２との間に挟まれるようにしてコイルスプリング２０を圧縮状態で装着して、第一保持手段１７によってセーフティーデバイス３をシリンダ７外周に、即ち、セーフティーデバイス３が注射針１０から外れた位置である第一位置に係止されることによって、セーフティーデバイス３は容器兼用注射器本体２に対して先端方向に付勢される。
【００４０】
容器兼用注射器１の使用後には、第一保持手段１７によるセーフティーデバイス３の上記の第一位置での係止が解除されると、コイルスプリング２０がフィンガーグリップ９のバネ当接部４２に対して容器兼用注射器本体２の先端方向に伸張し、これに伴ってコイルスプリング２０がセーフティーデバイス３を容器兼用注射器本体２の先端方向に移動させ、図１３に示すようにセーフティーデバイス３が注射針１０を覆う位置である第二位置に移動される。さらに、セーフティーデバイス３はこの第二位置において第二保持手段１８によって固定される。これにより、注射終了後の注射針１０を確実にカバーして安全性を確保することが可能となる。
【００４１】
なお、ここで説明に使用した図１から図１１に記載の容器兼用注射器１、又は図１２及び図１３に記載した変形例の容器兼用注射器４０は、円筒状のシリンダ７の中央にバイパス路７ａを有する二室式容器兼用注射器を表示しているが、上記のようなセーフティーデバイス３は、二室式容器兼用注射器に限らず、バイパス路７ａのない一室式容器兼用注射器にも適用できることは当然である。
【図面の簡単な説明】
【００４２】
【図１】本発明の一実施形態に係る容器兼用注射器の側面図である。
【図２】容器兼用注射器本体の縦断面図である。
【図３】セーフティーデバイス本体の縦断面図である
【図４】図３における戻り防止ストッパー付近のＡ方向矢視図である。
【図５】押圧リングの縦断面図である。
【図６】バネ受け部材の縦断面図である。
【図７】セーフティーデバイスの縦断面図である。
【図８】容器兼用注射器本体にセーフティーデバイスを装着した状態の縦断面図である。
【図９】容器兼用注射器本体にセーフティーデバイスを装着し、押圧リングを移動させた状態の縦断面図である
【図１０】容器兼用注射器本体及びセーフティーデバイスに、コイルスプリング及びバネ受け部材を装着する際の説明図である。
【図１１】図１における係合部、戻り防止ストッパー及び外れ防止ストッパー付近の拡大図である。
【図１２】変形例の容器兼用注射器の縦断面図である。
【図１３】変形例の容器兼用注射器の縦断面図である。
【符号の説明】
【００４３】
１    容器兼用注射器
２    容器兼用注射器本体
３    セーフティーデバイス
４    セーフティーデバイス本体
６    バネ受け部材
７    シリンダ
８    筒先
９    フィンガーグリップ
１０  注射針
１７  第一保持手段（保持手段）
１８  第二保持手段（保持手段）
２０  コイルスプリング（付勢手段）
４０   容器兼用注射器
【図１】
0004566223.tif 000002
【図２】
0004566223.tif 000003
【図３】
0004566223.tif 000004
【図４】
0004566223.tif 000005
【図５】
0004566223.tif 000006
【図６】
0004566223.tif 000007
【図７】
0004566223.tif 000008
【図８】
0004566223.tif 000009
【図９】
0004566223.tif 000010
【図１０】
0004566223.tif 000011
【図１１】
0004566223.tif 000012
【図１２】
0004566223.tif 000013
【図１３】
0004566223.tif 000014